(57)【要約】【課題】鼻板１から吊具本体４までの距離を短くするとともに、固定部材の調整と取付けが容易にできることを目的とする。【解決手段】軒樋吊具２０は、鼻板２１に固定される固定部材２２と、この固定部材２２に連結され軒樋５０を吊下げ保持する吊具本体２３とからなる軒樋吊具２０である。前記固定部材２２は、一対の略矩形板２４、２５の各１辺を固着して開度を略直角に形成され、その両側面を台形状の側板２６で補強するとともに、一方の略矩形板２４に長さ調整手段２７が設けられ、この長さ調整手段２７は、突出長さを調整してその先端部３０を鼻板２１の下方２１ａに当接し、他方の略矩形板２５の両側面の側板２６の先端部３１を鼻板の上方２１ｂに当接することにより、「吊具本体２３を水平」に設定する長さ調整手段２７である。【選択図】  図１
2006057355.tif 000002
【特許請求の範囲】
【請求項１】
鼻板に固定される固定部材と、この固定部材に連結され軒樋を吊下げ保持する吊具本体とからなる軒樋吊具であって、
前記固定部材は、一対の略矩形板の各１辺を固着して開度を略直角に形成され、その両側面を側板で補強されるとともに、一方の略矩形板に長さ調整手段が設けられ、
この長さ調整手段は、突出長さを調整してその先端部を鼻板の下方に当接し、他方の略矩形板の両側面の側板の先端部を鼻板の上方に当接することにより、前記吊具本体を水平に設定する長さ調整手段であることを特徴とする軒樋吊具。
【請求項２】
請求項１に記載の軒樋吊具であって、前記長さ調整手段は、前記一方の略矩形板に平行に設けられた複数の易折曲部であることを特徴とする軒樋吊具。
【請求項３】
請求項２に記載の軒樋吊具であって、前記複数の易折曲部は、略矩形板の表面に設けられるノッチであることを特徴とする軒樋吊具。
【請求項４】
請求項１に記載の軒樋吊具であって、前記長さ調整手段は、前記一方の略矩形板に重ねられたスライド板であり、このスライド板をスライドして突出長さを調整し位置固定するために、前記一方の略矩形板と前記スライド板の両方あるいはどちらか一方に長孔が設けられることを特徴とする軒樋吊具。
【請求項５】
請求項４に記載の軒樋吊具であって、前記一方の略矩形板と前記スライド板とのスライド面に、所定の間隔でそれぞれ位置決め用の凹凸を形成することを特徴とする軒樋吊具。
【発明の詳細な説明】
【技術分野】
【０００１】
本発明は、建築物の軒先に軒樋を取付けるための軒樋吊具の構造に関し、一種類の軒樋吊具により種々の鼻板勾配に対応できる軒樋吊具の構造に関する。
【背景技術】
【０００２】
従来、軒樋を吊り下げ保持する軒樋吊具は、吊具本体の端部に固定板が設けられており、この固定板を建物の鼻板に直接固着するようになっている。
【０００３】
しかしながら、建物に設けられる鼻板は建物の種類によって角度が異なることがあり、上述のような従来の方法では、鼻板に対する固定板の取付け角度が一定に形成されているので、施工現場で種類の異なる鼻板の角度に対応しての角度の調整を行うことができなかった。そのため、鼻板の勾配に対応するためには複数の軒樋吊具を用意しなければならないという問題があった。さらに、たとえば、勾配なし、4寸勾配、5寸勾配等に対応して専用の吊具を取り揃えていても、その他の軒先勾配に伴うたとえば2寸、5寸等の市場要望があれば、特注で用意する必要があった。
【０００４】
しかし、そのための金型投資等には多大の資金が必要であり、すべての特注に対応するのは資金面で実現不可能であった。また、常時出荷しない在庫が増えるので在庫管理に問題があった。
【０００５】
この問題を解決するために、例えば、特許文献１として実開平６−２０６８８号公報に示されているような、一種類の軒樋吊具を用いて種類の異なる鼻板の勾配に対応して設置することができる軒樋吊具が知られている。
【０００６】
特許文献１には、図１０に示すように、「軒樋吊具３は固定部材２と吊具本体４で構成され、鼻板１に固着される固定部材２の固定板５より上下方向に向けて弧状に形成された連結片６が突設する。また、吊具本体４の端部に設けられた連結体７を連結片６にスライド移動自在に連結する。そして、連結体７を連結片６の長手方向に沿う任意の位置で固定する固定ネジ８を連結体７に設ける。」という内容が開示されている。
【０００７】
図１１に示すように、軒樋吊具３が鼻板１に固着され、この軒樋吊具３の耳保持部９に軒樋１３が取付けられる。この状態で、軒樋１３の底部１３ａが略水平になる。
【特許文献１】実開平６−２０６８８号公報
【発明の開示】
【発明が解決しようとする課題】
【０００８】
ところが、上記、特許文献１の軒樋吊具３では、連結体７と連結片６は固定ネジ８で固着され、連結体７と連結片６はスライド移動自在に連結される構成である。  そのため、雨水等の荷重が掛かると、稀ではあるが、連結体７がずり落ちて吊具本体４の水平度が狂うという強度上の問題があった。
【０００９】
また、連結体７と連結片６の位置関係を調整してから固定ネジ８を締め付けるので、固定ネジ８の取付けスペースが狭く、施工現場における固定ネジ８の締め付け動作は不安定で取付け難いという問題があった。
【００１０】
さらに、連結片６は弧状に形成されているため、鼻板１からの突出長さＹが大きいので、複数の吊具本体４の調整をする際に、鼻板１から連結体７までの相対位置に大きなバラツキがあった。そのため、稀ではあるが、軒樋１３が水平方向にずれるという問題があった。
【００１１】
そこで、本発明は、固定部材と吊具本体の位置関係の調整を不要にし、施工現場において固定部材と吊具本体との固定ネジの締め付け動作を不要にすることにより、吊具本体の上下方向の位置が狂わないことを目的とする。
【００１２】
また、鼻板から吊具本体までの距離を短くして、吊具本体の水平方向のバラツキを少なくすることを目的とする。
【００１３】
一種類の軒樋吊具で種々の鼻板勾配に対する調整が容易にできることを目的とする。
【課題を解決するための手段】
【００１４】
請求項１の発明は、鼻板に固定される固定部材と、この固定部材に連結され軒樋を吊下げ保持する吊具本体とからなる軒樋吊具であって、前記固定部材は、一対の略矩形板の各１辺を固着して開度を略直角に形成され、その両側面を側板で補強されるとともに、一方の略矩形板に長さ調整手段が設けられ、この長さ調整手段は、突出長さを調整してその先端部を鼻板の下方に当接し、他方の略矩形板の両側面の側板の先端部を鼻板の上方に当接することにより、前記吊具本体を水平に設定する長さ調整手段であることを特徴としている。
【００１５】
この軒樋吊具であれば、他方の略矩形板の両側面の側板の先端部を鼻板の上方に当接するので、鼻板から吊具本体までの距離が短くなる。また、固定部材の一方の略矩形板に長さ調整手段が設けられているので、固定部材の突出長さを容易に調整することができる。
【００１６】
請求項２の発明は、請求項１に記載の軒樋吊具であって、前記長さ調整手段は、前記一方の略矩形板に平行に設けられた複数の易折曲部であることを特徴としている。
【００１７】
この軒樋吊具であれば、前記一方の略矩形板に平行に設けられた複数の易折曲部で、前記一方の略矩形板の突出長さを容易に調整することができる。
【００１８】
請求項３の発明は、請求項２に記載の軒樋吊具であって、前記複数の易折曲部は、略矩形板の表面に設けられるノッチであることを特徴としている。
【００１９】
この軒樋吊具であれば、略矩形板の表面にノッチが設けられているので、ノッチに沿って略矩形板を容易に折曲げることができる。
【００２０】
請求項４の発明は、請求項１に記載の軒樋吊具であって、前記長さ調整手段は、前記一方の略矩形板に重ねられたスライド板であり、このスライド板をスライドして突出長さを調整し位置固定するために、前記一方の略矩形板と前記スライド板の両方あるいはどちらか一方に長孔が設けられることを特徴としている。
【００２１】
この軒樋吊具であれば、前記長さ調整手段は、前記一方の略矩形板に重ねられたスライド板であるので、このスライド板をスライドして略矩形板の突出長さを容易に調整することができる。また、前記一方の略矩形板と前記スライド板の両方あるいはどちらか一方に長孔が設けられるので、調整した位置で容易に位置固定することができる。
【００２２】
請求項５の発明は、請求項４に記載の軒樋吊具であって、前記一方の略矩形板と前記スライド板とのスライド面に、所定の間隔でそれぞれ位置決め用の凹凸を形成することを特徴としている。
【００２３】
この軒樋吊具であれば、前記一方の略矩形板と前記スライド板とのスライド面に、所定の間隔でそれぞれ位置決め用の凹凸が形成されているので、容易に位置固定することができる。
【発明の効果】
【００２４】
請求項１記載の発明によれば、鼻板から吊具本体までの距離が短くなるので、吊具本体の水平方向のバラツキを少なくすることができる。また、固定部材の突出長さを容易に調整することができる。そのため、吊具本体が水平になるように一種類の軒樋吊具で種々の鼻板勾配に対する調整と取付けが容易にできる。
【００２５】
請求項２記載の発明によれば、一方の略矩形板に長さ調整手段によって、その突出長さを容易に調整することができる。そのため、一種類の軒樋吊具で種々の鼻板勾配に対する調整と取付けが容易にできる。
【００２６】
請求項３の発明によれば、ノッチに沿って一方の略矩形板を容易に折り曲げることができる。そのため、一種類の軒樋吊具で種々の鼻板勾配に対する調整と取付けが容易にできる。
【００２７】
請求項４の発明によれば、略矩形板の突出長さを容易に調整することができる。また長孔により調整位置まで容易にスライドすることができる。そのため、一種類の軒樋吊具で種々の鼻板勾配に対する調整と取付けが容易にできる。
【００２８】
請求項５の発明によれば、位置決め用の凹凸によって、容易に必要な位置に固定することができる。そのため、一種類の軒樋吊具で種々の鼻板勾配に対する調整と取付けが容易にできる。
【発明を実施するための最良の形態】
【００２９】
＜軒樋吊具の構成＞
以下に、本発明の第１の実施形態を〜図４に基づいて説明する。
【００３０】
図１に示すように、本実施例の軒樋吊具２０は、鼻板２１に固定される固定部材２２と、この固定部材２２に連結され軒樋５０を吊下げ保持する吊具本体２３とからなる軒樋吊具２０である。
【００３１】
前記固定部材２２は、一対の略矩形板２４、２５の各１辺を固着して開度を略直角に形成され、その両側面を台形状の側板２６で補強するとともに、一方の略矩形板２４に長さ調整手段２７が設けられる。
【００３２】
この長さ調整手段２７は、突出長さを調整してその先端部３０を鼻板２１の下方２１ａに当接し、他方の略矩形板２５の両側面の側板２６の先端部３１を鼻板の上方２１ｂに当接することにより、「吊具本体２３を水平」に設定する長さ調整手段２７である。
【００３３】
ここで、「吊具本体２３を水平」に設定するということは、吊具本体２３には軒樋５０を吊下げる保持部材５１が固着されており、この保持部材５１を介して軒樋５０の底部５２を略水平の状態にすることである。
【００３４】
そして、「吊具本体２３を水平」にした状態で、他方の略矩形板２５を鼻板２１に固定ネジ３３を用いて固定することにより、固定部材２２が鼻板２１に固定される。
【００３５】
さらに、他方の略矩形板２５の中央部には垂直の凹状の連結部２８が他方の略矩形板２５から吊具本体２３方向に突設され、この凹状の連結部２８に吊具本体２３が差し込まれて固定ネジ２９あるいはリベットによって固着される。
【００３６】
図２に示すように、吊具本体２３は帯状材を折り曲げて形成され、垂直部材２３ａと、この垂直部材２３ａの上部を下方に折り曲げて延設する斜板２３ｂと、この斜板２３ｂからさらに延設する水平部材２３ｃとで構成される。水平部材２３ｃの垂直方向の長さは水平部材２３ｃの延長線上が垂直部材２３ａの略中央に位置するように形成される。水平部材２３ｃの先端部近傍２３ｄには、保持部材５１との固着用の孔２３ｅが形成される。そして、吊具本体２３の垂直部材２３ａが固定部材２２の連結部２８に連結部２８の底に着くように差し込まれ、固定ネジ２９あるいはリベットによって吊具本体２３と固定部材２２が固着される。
【００３７】
保持部材５１は帯状材からなり、この帯状材の両横端は補強のために半円状に折り曲げその半円の円部が上方に向くように形成される。そして、この補強のための半円は帯状板の長手方向の略全域に形成されている。
【００３８】
保持部材５１の長手方向の形状は、まず、水平な中央部５１ａが吊具本体２３の水平部材２３ｃより少し長く形成され、固着用の孔５１ｂがその略中心に設けられる。この中央部５１ａから固定部材２２側は前記吊具本体２３と略同じ形状で形成されるが、固着用の孔５１ｂからの水平方向の長さは保持部材５１の一端部である垂直部５１ｃの最外端６０が吊具本体２３の連結部２８の外側面２８ａの位置になるように若干短く形成される。
【００３９】
その垂直部５１ｃに、軒樋５０の一方の耳部５３を保持する水平面からなる耳保持部５１ｄが形成される。
【００４０】
さらに、中央部５１ａから固定部材２２とは反対側に、斜板５１ｅが立ち上がるとともに水平部５１ｆに連続し、その水平部５１ｆの先端には軒樋５０の他方の耳部５４を保持する垂直部からなる耳保持部５１ｇが形成される。
【００４１】
保持部材５１の下部には、離脱防止材５６が帯状板で設けられ、固着用の長孔５６ａを一端部５６ｂ近傍に備える。そして、固着用の長孔５６ａと他端部５６ｃとの中間部には段差５６ｄが設けられ、固着用の長孔５６ａの位置が他端部５６ｃよりも垂直方向に少し高い位置に形成される。そのため、保持部材５１と離脱防止材５６が固着すると、保持部材５１と離脱防止材５６の間には隙間５６ｅが生じる。
【００４２】
吊具本体２３と保持部材５１と離脱防止材５６は、孔２３ｅ、５１ｂ、長孔５６ａを介して固定ネジ５７あるいはリベットにより一体的に連結される。このとき、吊具本体２３と離脱防止材５６は、保持部材５１の補強のための半円を除く帯状板の中央部に密着する。
【００４３】
図３に示すように、固定部材２２の一方の略矩形板２４の上面に長さ調整手段２７としてのノッチ２７ａが先端部３０と平行に複数形成されている。このノッチ２７ａは断面がＶ字状の切欠きで、一方の略矩形板２４の板厚の略１／２深さに形成され一方の略矩形板２４の全幅に至って設けられる。
【００４４】
また、一方の略矩形板２４の下面には、「２．５−１０」と表示されているが、これは、この固定部材２２が２．５寸から１０寸の範囲で調整可能であることを表している。また、図示しないが、一方の略矩形板２４の上面か下面に、複数のそれぞれのノッチ２７ａに対応する位置に、０．５寸ピッチで２．５寸から１０寸までの表記がされる。
【００４５】
図４に示すように、他方の略矩形板２５には、固定ネジ３３用の孔３３ａが４隅に設けられる。また、固定ネジ２９あるいはリベット用の孔２９ａが凹状の連結部２８内に設けられる。
【００４６】
ここで、軒樋吊具２０の材質は、ステンレスや亜鉛メッキをした金属、あるいは軽量化や耐腐食性を考慮して例えば硬質塩化ビニール樹脂等の合成樹脂等が用いられる。
【００４７】
＜軒樋吊具の作用＞
図５(ａ)に示すように、長さ調整手段２７としての複数の平行なノッチ２７ａは、先端部３０から例えば１．７ｍｍピッチの等間隔で１５個設けられ、それぞれ順番に２．５寸から１０寸にいたる０．５寸刻みで形成されている。
【００４８】
上述のように、先端部３０と側板２６の先端部３１とを結ぶ直線Ｌ１は鼻板２１に当接するが、たとえば長さＳと長さＴがそれぞれ３４ｍｍに設定されるので、直線Ｌ１は鼻板２１が最大傾斜４５度のときの状態を示している。また、ノッチ２７ａが２．５寸の位置では、直線Ｌ２は鼻板２１が最小傾斜の状態に対応している。
【００４９】
なお、側板２６の先端部３１から吊具本体２３の垂直部材２３ａまでの長さＴ３は垂直部材２３ａが直線Ｌ１にできるだけ接近するように定められる。
【００５０】
図５(ｂ)に示すように、各ノッチの「寸表示」は、角度θの鼻板２１に対して「吊具本体２３を水平にする」ために、垂直方向の長さをＳ＝１０．０寸と仮定して、水平方向の長さＴを２．５寸〜１０寸まで変化させるとして表されている。
【００５１】
図６に示すように、所望のノッチ２７ａで折り曲げられ、固定ネジ３３を用いて固定部材２２が鼻板２１に固定されるので、「吊具本体２３を水平」に取付けることができる。
【００５２】
このとき、軒樋５０の一方の耳部５３は耳保持部５１ｄにより下方から保持されるとともに、固着用の長孔５６ａによって離脱防止材５６を水平移動して一方の耳部５３を離脱防止材５６と垂直部５１ｃとの間に挟み込んで水平方向に保持される。保持部材５１と離脱防止材５６の間には隙間５６ｅが設けられているので、離脱防止材５６を抵抗少なく容易に水平移動できる。
【００５３】
このように、軒樋５０の底部５２が略水平の状態で、軒樋５０の一方の耳部５３が耳保持部５１ｄと離脱防止材５６で保持されるとともに、底部５２の他方の耳部５４が垂直部からなる耳保持部５１ｇに保持される。
【００５４】
上記のように、本実施形態によれば、吊具本体２３の垂直部材２３ａが固定部材２２の連結部２８に連結部２８の底に着くように差し込まれるので、固定部材２２と吊具本体２３の位置関係の調整が不要である。また、施工現場における固定ネジ２９の締め付け動作が不要である。また、吊具本体２３の上下方向の位置が狂うことがない。
【００５５】
鼻板２１から吊具本体２３までの距離が短くなるので、吊具本体２３の水平方向のバラツキを少なくすることができる。そして、一種類の軒樋吊具で種々の鼻板勾配に対する調整が容易にできる
＜本発明の第２の実施形態＞
以下に、本発明の第２の実施形態を図〜図９に基づいて説明する。
【００５６】
図７に、軒樋吊具の側面図を示すが、図１に示した軒樋吊具と同じ構成部分については、図面に同符号を付して重複した説明を省略する。
【００５７】
図７に示すように、長さ調整手段２７は、スライド板４０と、このスライド板を固定する止め具４２とボルト４４とスプリング座金４３で構成される。
【００５８】
そして、矩形のスライド板４０は一方の略矩形板２４の下方にスライド自在に設けられ、スライド板４０の中央部には長孔４５が設けられているので、スライド板４０は所定の位置でスプリング座金４３を介して止め具４２とボルト４４によって一方の略矩形板２４に固定される。止め具４２はナットとしての働きを持ち手動回転させてボルト４４に螺合する。
【００５９】
このようにして、長さ調整手段２７は、スライド板４０の突出長さを調整してその先端部３０を鼻板２１の下方２１ａに当接し、他方の略矩形板２５の両側面の側板２６の先端部３１を鼻板の上方２１ｂに当接することにより、「吊具本体２３を水平」に設定できる。
【００６０】
図8に示すように、一方の略矩形板２４とスライド板４０のそれぞれのスライド面に、所定の間隔で位置決め用の凹凸４６を２列形成する。この位置決め用の凹凸４６は、たとえば、一方の略矩形板２４に凸部、スライド板４０に凹部が設けられ、それらがお互いに嵌入することで、スライド板４０の突出長さを容易に調整できて、その先端部３０の位置を決めることができる。なお、凹部はスライド板４０を抉って設けてもよいし、スライド板４０に貫通する孔としてもよい。
【００６１】
さらに、スライド板４０の上面にスライド位置を表す表示線４７が先端部３０と平行に複数表示される。そして表示線４７を一方の略矩形板２４の先端４８に合わせることでスライド板４０を所定の位置に容易に合わせることができて固定部材２２を所定の角度の設定することができる。
【００６２】
そして、図示しないが、図４で説明した内容と同じように、固定部材２２には、固定ネジ３３用の孔３３ａが４隅に設けられ、固定ネジ２９あるいはリベット用の孔２９ａが凹状の連結部２８内に設けられる。
【００６３】
図９に示すように、スライド板４０のスライド位置調整のための複数の表示線４７は、先端部３０から０．５寸の等間隔で例えば８個設けられ、それぞれ順番に２．５寸から６．５寸に対応している。
【００６４】
側板２６の先端部３１とスライド板４０の先端部３０を結ぶ直線Ｌ１は鼻板２１に当接するが、このとき鼻板２１が最大傾斜の状態である。また、側板２６の先端部３１とその下端部４９を結ぶ直線Ｌ２は鼻板２１が最小傾斜の状態に対応している。ここで、長さＳと長さＴ（Ｔ１、Ｔ２）は上記内容に応じて適宜定められ、長さＴ３は垂直部材２３ａが直線Ｌ１にできるだけ近接するように定められる。
【００６５】
上記のように、本発明の第２の実施形態によれば、固定部材２２と吊具本体２３の位置関係の調整が不要となり、施工現場における固定ネジ２９の締め付け動作が省略できる。また、吊具本体２３の上下方向の位置が狂うことがない。
【００６６】
鼻板２１から吊具本体２３までの距離が短くなるので、吊具本体２３の水平方向のバラツキを少なくすることができる。一種類の軒樋吊具で種々の鼻板勾配に対する調整が容易にできる。
【００６７】
以上、本発明の実施形態を図面に基づいて説明したが、上記の実施例はいずれも本発明の一例を示したものであり、本発明はこれらに限定されるべきでないということはいうまでもない。
【００６８】
例えば、前記長さ調整手段は、スライド板の調整のための突出長さを広範囲にするために、前記一方の略矩形板２４と前記スライド板４０の両方に長孔４５を設けてもよい。
【００６９】
一方の略矩形板２４とスライド板４０とのスライド面に設けられる位置決め用の凹凸４６は、一方の略矩形板２４に凹部と凸部を繰り返して形成し、対向するスライド板４０に凸部と凹部を繰り返して形成し、一方の略矩形板２４の凹部がスライド板４０の凸部に、一方の略矩形板２４の凸部がスライド板４０の凹部にそれぞれ対応するように形成してもかまわない。この方法であれば、短いスライドピッチのときでも凹部と凸部を繰り返すことで、凹凸が離れるので加工が容易にできる。
【００７０】
表示線４７をスライド板４０の上面に表示するかわりにスライド板４０の側面に表示して、表示線４７と側板２６の下端部４９とを合わせることによりにスライド板４０のスライド位置を調整することも可能である。
【００７１】
前記角度調整板２７ａの対応する角度の範囲は、必要に応じてその範囲を採用すればよい。
【図面の簡単な説明】
【００７２】
【図１】本発明の第１の実施形態における軒樋吊具の側面図である。
【図２】本発明の第１の実施形態における軒樋吊具の分解側面図である。
【図３】本発明の第１の実施形態における軒樋吊具の、図１におけるＡ−Ａ断面図である。
【図４】本発明の第１の実施形態における軒樋吊具の、図１におけるＢ―Ｂ断面図である。
【図５】（ａ）は、本発明の第１の実施形態における軒樋吊具の、ノッチ２７ａの詳細配置図、（ｂ）は固定部材２２と鼻板２１の角度との関連説明図である。
【図６】本発明の第１の実施形態における軒樋吊具の、軒樋吊具と軒樋の取付け状態を示す側面透視図である。
【図７】本発明の第２の実施形態における軒樋吊具の側面図である。
【図８】本発明の第２の実施形態における軒樋吊具の、図７におけるＡ−Ａ断面図である。
【図９】本発明の第２の実施形態における軒樋吊具の、図８におけるスライド位置調整のための表示線４７とその関連の説明図である。
【図１０】従来の軒樋吊具の取付け状態を示す斜視図である。
【図１１】従来の軒樋吊具の、軒樋吊具と軒樋の取付け状態を示す側面透視図である。
【符号の説明】
【００７３】
２０  軒樋吊具
２１  鼻板
２１ａ  下方
２１ｂ  上方
２２  固定部材
２３  吊具本体
２４  矩形板
２５  矩形板
２６  側板
２７  長さ調整手段
３０  先端部
３１  先端部
５０  軒樋
【図１】
2006057355.tif 000003
【図２】
2006057355.tif 000004
【図３】
2006057355.tif 000005
【図４】
2006057355.tif 000006
【図５】
2006057355.tif 000007
【図６】
2006057355.tif 000008
【図７】
2006057355.tif 000009
【図８】
2006057355.tif 000010
【図９】
2006057355.tif 000011
【図１０】
2006057355.tif 000012
【図１１】
2006057355.tif 000013